(57)【特許請求の範囲】
【請求項１】
プレートの中間部に滑走面に対し平行な軸線を中心に前後方向にのみ回動する単一の中間回動ローラーを配設し、同プレートにおける該中間回動ローラーの前方に滑走面に対し垂直な軸線を中心に３６０度水平旋回可能で且つ何れの旋回角度においても滑走面に対し平行な回動軸線を中心に回動する前部旋回ローラーを配設すると共に、同プレートにおける該中間回動ローラーの後方に滑走面に対し垂直な軸線を中心に３６０度水平旋回可能で且つ何れの旋回角度においても滑走面に対し平行な回動軸線を中心に回動する後部旋回ローラーを配設し、上記中間回動ローラーの接地点を中心に前部旋回ローラーと後部旋回ローラーとが旋回しつつ回動して自転運動を得る構成としたことを特徴とするローラースケート。
【請求項２】
上記前部旋回ローラーを上記中間回動ローラーの走行軌線の左右両側に前後に位置をずらして配設すると共に、後部旋回ローラーを上記走行軌線の左右両側に前後に位置をずらして配設し、左右前部旋回ローラーと左右後部旋回ローラとをジグザグに配置したことを特徴とする請求項１記載のローラースケート。
【発明の詳細な説明】
【０００１】
【発明の属する技術分野】
本発明は靴に締結ベルト等にて装着し着脱できるようにしたローラースケート又は靴と一体構造のローラースケート又はローラースケートボード等のローラースケートに関する。
【０００２】
【従来の技術】
特表平１１−５０２１３５号には、靴底に回動せる複数のローラーを有し、各ローラーが滑走面に対し水平旋回可能に取り付けられたローラースケートが開示されている。
【０００３】
【発明が解決しようとする課題】
然しながら、上記従来のローラースケートでは、円軌跡上をカーブする公転運動は可能であるが、アイススケートにおけるスピンの如き自転運動を行うことは困難であった。
【０００４】
【課題を解決するための手段】
そこで本発明は、プレートの中間部に滑走面に対し平行な軸線を中心に前後方向にのみ回動する単一の中間回動ローラーを配設し、同プレートにおける該中間回動ローラーの前方に滑走面に対し垂直な軸線を中心に３６０度水平旋回可能で且つ何れの旋回角度においても滑走面に対し平行な回動軸線を中心に回動する前部旋回ローラーを配設すると共に、同プレートにおける該中間回動ローラーの後方に滑走面に対し垂直な軸線を中心に３６０度水平旋回可能で且つ何れの旋回角度においても滑走面に対し平行な回動軸線を中心に回動する後部旋回ローラーを配設し、上記中間回動ローラーの接地点を中心に前部旋回ローラーと後部旋回ローラーとが旋回しつつ回動してローラースケートの自転運動を得る構成とし、よってアイススケートにおけるスピンの如き自転運動をローラースケートにおいて適切に行えるようにしたものである。
【０００５】
上記前部旋回ローラーを上記中間回動ローラーの走行軌線の左右両側に前後に位置をずらして配設すると共に、後部旋回ローラーを上記走行軌跡の左右両側に前後に位置をずらして配設し、左右前部旋回ローラーと左右後部旋回ローラとをジグザグに配置し、上記中間回動ローラーを中心（支点）としたローラースケートのスピン操作を有効に惹起させるようにし、且つ該スピン操作が安定に行えるようにした。
【０００６】
【発明の実施の形態】
本発明の実施の形態例を図１乃至図５に基づき説明する。
【０００７】
図１に示すように、本発明のローラースケート１はプレート２の下面中間部に前後方向にのみ回動する単一の中間回動ローラー３を配設する。上記中間回動ローラー３はプレート２の前後方向、即ち滑走者が前向きの姿勢で滑る場合のつま先から踵方向にのみ回動し、該中間回動ローラー３の走行軌線Ｚは同前後方向に形成される。
【０００８】
上記中間回動ローラー３をプレート２の左右方向の回動軸４、上記走行軌線Ｚと直交する回動軸４にて取付板５に軸支し、該取付板５を上記プレート２の下面に螺子６を以て締結する。中間回動ローラー３は、図示のようにプレート２の中央部に配設する。好ましくはプレート２内の滑走者の体重が加わる重心に配設する。
【０００９】
この発明においてプレート２とは、着脱式のローラースケートにおける靴載せプレートや、靴と一体構造のローラースケートにおける靴底に取り付けられるソールプレートと呼称されるものや、ローラースケートボードにおけるデッキやボードを意味する。
【００１０】
上記中間回動ローラー３は、回動の中心となる上記回動軸４をプレート２の左右方向に向けて取付けし、中間回動ローラー３をプレート２の前後（前向きに滑走する滑走者の前後）方向においてのみ回動させる。つまり、中間回動ローラー３の走行軌線Ｚはプレート２の前後方向に延在する直線である。従って中間回動ローラー３は走行軌線Ｚと直行する回動軸４により支持されている。
【００１１】
上記中間回動ローラー３の回動軸４、即ち回動軸線Ｘ１は、滑走面７に対して平行で且つプレート２の左右方向、即ち滑走者の左右方向（走行軌線Ｚと直行する方向）に延在する。
【００１２】
上記プレート２の上記中間回動ローラー３の前方に、滑走面７に対し水平旋回可能で、且つ何れの旋回角度においても回動する前部旋回ローラー８を配設する。
【００１３】
上記前部旋回ローラー８は回動軸９を以てホルダー１０に取り付け、該ホルダー１０を取付板１１に旋回軸２２を介して水平旋回可能に取り付け、該取付板１１を上記プレート２の下面に螺子１２を以て締結する。
【００１４】
上記ホルダー１０は上記取付板１１への取付点１３を中心に水平方向に３６０度旋回可能とし、よって上記前部旋回ローラー８はプレート２に対して水平方向に３６０度旋回可能となる。上記前部旋回ローラー８の旋回軸線Ｙ１、即ち旋回軸２２はホルダー１０の取付点１３を通り滑走面７に対して垂直方向に延在する。
【００１５】
又上記前部旋回ローラー８は上記水平旋回に加え、何れの旋回角度においても、上記回動軸９を中心にホルダー１０内において自由回動する。図３に示すように、前部旋回ローラー８の回動軸線Ｘ２は滑走面７に対して平行であり、その方向はローラー８の旋回角度に追随して変化する。
【００１６】
図２に示すように、上記前部旋回ローラー８の旋回軸線Ｙ１は同ローラー８の回動軸線Ｘ２より後方又は前方に位置させ、上記旋回ローラー８への力点を、同ローラー８の接地点Ｐ１から垂直に立ち上げた中心線Ｌ１より前後に位置をずらすことにより、プレート２上の荷重を上記旋回ローラー８の前方又は後方への回動の駆動力として利用する。
【００１７】
図１，図４において左側に配した前部旋回ローラー８と右側に配した前部旋回ローラー８の夫々は、図３に示すように各２個のローラーを回動軸９により連結してホルダー１０に保持させたものに限定されず、一個のローラーを回動軸９を介してホルダー１０に保持させたものを用いても良い。
【００１８】
上記前部旋回ローラー８の前方配設に加え、上記中間回動ローラー３の後方に、滑走面７に対し水平旋回可能で、且つ何れの旋回角度においても回動する後部旋回ローラー１４を配設する。
【００１９】
上記後部旋回ローラー１４は回動軸１５を以てホルダー１６に取り付け、該ホルダー１６を取付板１７に旋回軸２３を介して水平旋回可能に取り付け、該取付板１７を上記プレート２の下面に螺子１８を以て締結する。
【００２０】
上記ホルダー１６は上記取付板１７への取付点１９中心に水平方向に３６０度旋回可能とし、よって上記後部旋回ローラー１４はプレート２に対して水平方向に３６０度旋回可能となる。上記後部旋回ローラー１４の旋回軸線Ｙ２、即ち旋回軸２３はホルダー１６の取付点１９を通り滑走面７に対して垂直方向に延在する。
【００２１】
又上記後部旋回ローラー１４は上記水平旋回に加え、何れの旋回角度においても、上記回動軸１５を中心にホルダー１６内において自由回動する。図３に示すように、後部旋回ローラー１４の回動軸線Ｘ３は滑走面７に対して平行であり、その方向は同ローラー１４の旋回角度に追随して変化する。
【００２２】
図２に示すように、上記後部旋回ローラー１４の旋回軸線Ｙ２が同ローラー１４の回動軸線Ｘ３より後方又は前方に位置させ、上記旋回ローラー１４への力点を、同ローラー１４の接地点Ｐ２から垂直に立ち上げた中心線Ｌ２より前後に位置をずらすことにより、プレート２上の荷重を上記旋回ローラー１４の前方又は後方への回動の駆動力として利用する。
【００２３】
図１，図４において左側に配した後部旋回ローラー１４と右側に配した後部旋回ローラー１４の夫々は、図３に示すように各２個のローラーを回動軸１５により連結してホルダー１６に保持させたものに限定されず、一個のローラーを回動軸１５を介してホルダー１６に保持させたものを用いても良い。
【００２４】
上記ローラースケート１にて前後方向、或いは斜め前後方向に向けて滑走する場合には、上記中間回動ローラー３によって夫々自由に水平旋回する前部旋回ローラー８及び後部旋回ローラー１４の旋回方向のバラツキを抑え、ローラースケート１全体としてのスムーズな前後方向への走行を可能にする。
【００２５】
上記前部旋回ローラー８及び／又は後部旋回ローラー１４を、上記中間回動ローラー３の走行軌線Ｚを境にして左右両側に配設し、中間回動ローラー３の接地点Ｐ３と前部旋回ローラー８の接地点Ｐ１及び／又は後部旋回ローラー１４の接地点Ｐ２を三角点配置又は四角点配置する。これにより上記中間回動ローラーを中心（支点）としたローラースケートのスピン操作を有効に惹起させ、且つ該スピン操作を安定に行えるようにする。
【００２６】
図５Ａに示すように、上記前部旋回ローラー８は中間回動ローラー３の走行軌線Ｚに対して対称に配設した左側前部旋回ローラー８及び右側前部旋回ローラー８とにより構成する。他方、後部旋回ローラー１４を上記走行軌線Ｚ上に配設する。
【００２７】
又は図５Ｂに示すように、前部旋回ローラー８は中間回動ローラー３の走行軌線Ｚ上に配設し、他方、上記後部旋回ローラー１４は中間回動ローラー３の走行軌線Ｚに対して対称に配設した左側後部旋回ローラー１４及び右側後部旋回ローラー１４とにより構成する。
【００２８】
又は図５Ｃに示すように、前部旋回ローラー８は中間回動ローラー３の走行軌線Ｚに対して対称に配設した左側前部旋回ローラー８及び右側前部旋回ローラー８とにより構成し、同様に後部旋回ローラー１４は中間回動ローラー３の走行軌線Ｚに対して対称に配設した左側後部旋回ローラー１４及び右側後部旋回ローラー１４とにより構成する。
【００２９】
又は図１に示すように、上記中間回動ローラー３の走行軌線Ｚの左右両側において左側前部旋回ローラー８と右側前部旋回ローラー８を前後へ位置をずらして配設し、同様に走行軌線Ｚの左右両側において左側後部旋回ローラー１４と右側後部旋回ローラー１４を前後へ位置をずらして配設する。従って全てのローラー８，８，１４，１４はジグザグに配置する。
【００３０】
図４，図５Ｄは、上記ローラースケート１にてアイススケートのスピンの如き自転運動を行った場合の、中間回動ローラー３及び前部旋回ローラー８及び後部旋回ローラー１４の動作状態を示す。
【００３１】
上記中間回動ローラー３の接地点Ｐ３を中心にした円軌跡を描くように、前部旋回ローラー８及び後部旋回ローラー１４の夫々が、旋回しつつ各旋回角度において回動し、上記中間回動ローラー３は定点（接地点Ｐ３）を略固定点として、該接地点Ｐ３を通り滑走面に対し垂直な軸線Ｙ ′を中心に、略回動せずに摩擦旋回する。よってプレート２を中間回動ローラー３を中心に旋回させ、ローラースケート１により自転運動が招来される。図５に示す何れの配置例においても同様である。
【００３２】
上記プレート２の下面後端にはストッパー２０を下方へ向け突設し、該ストッパー２０の底面と滑走面７との摩擦力にて制動効果を供与する。上記ストッパー２０は通常の滑走時には滑走面７と接地せず、滑走者が体重をやや後方に載せた場合に接地するように滑走面７に接近して設け、適材としてゴム材や木材等から成る制動シート又は制動ブロックを用いる。
【００３３】
【発明の効果】
本発明のローラースケートによれば、中間回動ローラーを中心（略固定点）として摩擦旋回させつつ、前部旋回ローラー及び後部旋回ローラーの良好な旋回且つ回動を招来させることにより、アイススケートにおけるスピンの如き自転運動を適正に行うことができる。
【００３４】
又上記旋回しない中間回動ローラーにより、前部旋回ローラー及び後部旋回ローラーの旋回方向を制御し、走行方向を適正に定めることができる。
【図面の簡単な説明】
【図１】本発明のローラースケートの常態時における構成を示す底面図。
【図２】同側面図。
【図３】同正面図。
【図４】上記ローラースケートで自転運動（スピン）を行った状態における中間回動ローラー及び前部旋回ローラー及び後部旋回ローラーの動作状態を示す底面図。
【図５】Ａ乃至Ｃは中間回動ローラー及び前部旋回ローラー及び後部旋回ローラーの配設位置の例を夫々示し、ＤはＡのローラースケートの旋回状態における各ローラーの動作状態を示す底面図。
【符号の説明】
１    ローラースケート
２    プレート
３    中間回動ローラー
４    回動軸
５    取付板
６    螺子
７    滑走面
８    前部旋回ローラー
９    回動軸
１０  ホルダー
１１  取付板
１２  螺子
１３  取付点
１４  後部旋回ローラー
１５  回動軸
１６  ホルダー
１７  取付板
１８  螺子
１９  取付点
２０  ストッパー
２１  靴
２２  旋回軸
２３  旋回軸
Ｘ１，Ｘ２，Ｘ３  回動軸線
Ｙ１，Ｙ２        旋回軸線
Ｙ ′             軸線
Ｚ                走行軌線
【図１】
0003685691.tif 000002
【図２】
0003685691.tif 000003
【図３】
0003685691.tif 000004
【図４】
0003685691.tif 000005
【図５】
0003685691.tif 000006